【手続補正書】
【提出日】平成18年1月11日(2006.1.11)
【手続補正１】
【補正対象書類名】明細書
【補正対象項目名】特許請求の範囲
【補正方法】変更
【補正の内容】
【特許請求の範囲】
【請求項１】
ワイヤレス・マスタ・ユニットと１つ以上のワイヤレス・スレイブ・ユニットとを含むシステムのオペレーティング方法であって、
前記１つ以上のワイヤレス・スレイブ・ユニットのそれぞれは、固有識別子を有し、
定期的に、マスタ・ツー・スレイブ・タイム・スロットにおいて、前記１つ以上のワイヤレス・スレイブ・ユニットのそれぞれに対し、ページング・ビーコン・パケットをブロードキャストするステップと、
前記１つ以上のワイヤレス・スレイブ・ユニットのそれぞれにおいて、前記ページング・ビーコン・パケットを受信するステップと、
前記１つ以上のワイヤレス・スレイブ・ユニットのそれぞれにおいて、受信された前記ページング・ビーコン・パケットが当該ワイヤレス・スレイブ・ユニットの固有識別子を含むか否かを判定するステップと、
前記１つ以上のワイヤレス・スレイブ・ユニットのそれぞれにおいて、受信されたビーコン・パケットが、当該ワイヤレス・スレイブ・ユニットの固有識別子を含む場合に、前記ページング・ビーコン・パケットから一時アドレスを検索するステップと、
前記１つ以上のワイヤレス・スレイブ・ユニットのそれぞれにおいて、受信されたページング・ビーコン・パケットがワイヤレス・スレイブ・ユニットの固有識別子を含む場合に、次のスレイブ・ツー・マスタ・タイム・スロットにおいて、ワイヤレス・マスタ・ユニットに応答を送信するステップと、
を含むことを特徴とする方法。
【請求項２】
前記１つ以上のワイヤレス・スレイブ・ユニットのそれぞれにおいて、前記ワイヤレス・マスタ・ユニットからの次のトラフィック・パケットが前記一時アドレスを含むか否かを判定するステップと、
前記１つ以上のワイヤレス・スレイブ・ユニットのそれぞれにおいて、ワイヤレス・マスタ・ユニットからの次のトラフィック・パケットが一時アドレスを含む場合に、別の次のスレイブ・ツー・マスタ・タイム・スロットにおいて、ワイヤレス・マスタ・ユニットに応答を送信するステップと、
を含むことを特徴とする請求項１に記載の方法。
【請求項３】
前記ページング・ビーコン・パケットは、一種のビーコン・パケットであり、前記システムにおける１つ以上のワイヤレス・スレイブ・ユニットのいずれにも割当てられない所定の一時アドレスを含むヘッダ部分を有することを特徴とする請求項１に記載の方法。
【請求項４】
ワイヤレス・マスタ・ユニットと１つ以上のワイヤレス・スレイブ・ユニットとを含むシステムのオペレーティング方法であって、
前記１つ以上のワイヤレス・スレイブ・ユニットのそれぞれは、固有識別子を有し、
マスタ・ツー・スレイブ・タイム・スロットとスレイブ・ツー・マスタ・タイム・スロットが交互に現れる一連のタイム・スロットを定義するステップ−ここで、該スレイブ・ツー・マスタ・タイム・スロットはそれぞれ複数のスレイブ・ツー・マスタ・サブ・スロットを含む−と、
前記１つ以上のワイヤレス・スレイブ・ユニットのそれぞれに固有応答番号を割り当てるステップと、
定期的に、マスタ・ツー・スレイブ・タイム・スロットにおいて、前記１つ以上のワイヤレス・スレイブ・ユニットのそれぞれに対し、ポーリング・ビーコン・パケットをブロードキャストするステップと、
前記１つ以上のワイヤレス・スレイブ・ユニットの内の少なくとも１つのために、前記ポーリング・ビーコン・パケットの後に起こるＮ個のスレイブ・ツー・マスタ・サブ・スロットで生じるスレイブ・ツー・マスタ・サブ・スロットにおいて、ワイヤレス・マスタ・ユニットへパケットを送信するステップ−ここで、Ｎは前記少なくとも１つ以上のワイヤレス・スレイブ・ユニットの固有応答番号の関数である−と、
を含むことを特徴とする方法。
【請求項５】
前記１つ以上のワイヤレス・スレイブ・ユニットの内の少なくとも１つのために、前記ポーリング・ビーコン・パケットの後のＮ個のスレイブ・ツー・マスタ・サブ・スロットで生じる前記スレイブ・ツー・マスタ・サブ・スロットの直前のマスタ・ツー・スレイブ・タイム・スロットにおいて、何らかのマスタによる動作が発生したか否かを検出するステップを更に含み、
スレイブ・ツー・マスタ・サブ・スロットにおいて前記ワイヤレス・マスタ・ユニットにパケットを送信する前記ステップは、前記ポーリング・ビーコン・パケットの後のＮ個のスレイブ・ツー・マスタ・サブ・スロットで生じる前記スレイブ・ツー・マスタ・サブ・スロットの直前のマスタ・ツー・スレイブ・タイム・スロットにおいてマスタの動作が検出されなかった場合にだけ、実行されることを特徴とする請求項４に記載の方法。
【請求項６】
前記ワイヤレス・マスタ・ユニットにおいて、前記１つ以上のワイヤレス・スレイブ・ユニットの内の少なくとも一つから、前記パケットを受信するステップと、
前記ワイヤレス・マスタ・ユニットにおいて、前記ポーリング・ビーコン・パケットがブロードキャストされた前記マスタ・ツー・スレイブ・タイム・スロットに関連して、どのスレイブ・ツー・マスタ・サブ・スロットにおいて前記パケットが受信されたかを判定することにより、前記１つ以上のワイヤレス・スレイブ・ユニットの内、どのユニットが前記パケットを送信したかを判定するステップと、
を更に含むことを特徴とする請求項４に記載の方法。
【請求項７】
前記ワイヤレス・マスタ・ユニットにおいて、前記１つ以上のワイヤレス・スレイブ・ユニットの内の少なくとも１つに対してページング・ビーコン・パケットをブロードキャストするステップを更に含み、
前記ページング・ビーコン・パケットは、前記１つ以上のワイヤレス・スレイブ・ユニットの内の少なくとも１つについての固有識別子と、後に、前記１つ以上のワイヤレス・スレイブ・ユニットの内のその１つをページングする際に用いられる一時アドレスと、を含むことを特徴とする請求項６に記載の方法。
【請求項８】
前記１つ以上のワイヤレス・スレイブ・ユニットのそれぞれに固有応答番号を割り当てるステップは、
前記ワイヤレス・マスタ・ユニットにおいて、それぞれの前記ワイヤレス・スレイブ・ユニットのために固有識別子を登録するステップと、
前記登録された固有識別子のそれぞれに固有応答番号を関連させるステップと、
前記固有識別子を持っているそれぞれのワイヤレス・スレイブ・ユニットに固有応答番号を送信するステップと、
を含むことを特徴とする請求項４に記載の方法。
【請求項９】
前記ポーリング・ビーコン・パケットは一種のビーコン・パケットであり、前記システムおける前記１つ以上のワイヤレス・スレイブ・ユニットのいずれにも割当てられない所定の一時アドレスを含むヘッダ部分を有することを特徴とする請求項４に記載の方法。
【請求項１０】
それぞれの前記スレイブ・ツー・マスタ・サブ・スロットはハーフ・スロットであることを特徴とする請求項４に記載の方法。
【請求項１１】
ワイヤレス・マスタ・ユニットと１つ以上のワイヤレス・スレイブ・ユニットとを含むシステムであって、
前記１つ以上のワイヤレス・スレイブ・ユニットのそれぞれは、固有識別子を有し、
前記ワイヤレス・マスタ・ユニットは、
定期的に、マスタ・ツー・スレイブ・タイム・スロットにおいて、前記１つ以上のワイヤレス・スレイブ・ユニットのそれぞれに対し、ページング・ビーコン・パケットをブロードキャストする手段を有し、
前記ワイヤレス・スレイブ・ユニットのそれぞれは、
前記ページング・ビーコン・パケットを受信する手段と、
受信された前記ページング・ビーコン・パケットが当該ワイヤレス・スレイブ・ユニットの固有識別子を含むか否かを判定する手段と、
受信されたビーコン・パケットが、当該ワイヤレス・スレイブ・ユニットの固有識別子を含む場合に、前記ページング・ビーコン・パケットから一時アドレスを検索する手段と、
受信されたページング・ビーコン・パケットが当該ワイヤレス・スレイブ・ユニットの固有識別子を含む場合に、次のスレイブ・ツー・マスタ・タイム・スロットにおいて、ワイヤレス・マスタ・ユニットに応答を送信する手段と、
を有することを特徴とするシステム。
【請求項１２】
前記ワイヤレス・スレイブ・ユニットのそれぞれは、
前記ワイヤレス・マスタ・ユニットからの次のトラフィック・パケットが前記一時アドレスを含むか否かを判定する手段と、
前記ワイヤレス・マスタ・ユニットからの次のトラフィック・パケットが前記一時アドレスを含む場合に、別の次のスレイブ・ツー・マスタ・タイム・スロットにおいて、前記ワイヤレス・マスタ・ユニットに応答を送信する手段と、
を更に有することを特徴とする請求項１１に記載のシステム。
【請求項１３】
前記ページング・ビーコン・パケットは、一種のビーコン・パケットであり、前記システムにおける１つ以上のワイヤレス・スレイブ・ユニットのいずれにも割当てられない所定の一時アドレスを含むヘッダ部分を有することを特徴とする請求項１１に記載のシステム。
【請求項１４】
ワイヤレス・マスタ・ユニットと１つ以上のワイヤレス・スレイブ・ユニットとを含むシステムであって、
前記１つ以上のワイヤレス・スレイブ・ユニットのそれぞれは、固有識別子を有し、
前記ワイヤレス・マスタ・ユニットは、
マスタ・ツー・スレイブ・タイム・スロットとスレイブ・ツー・マスタ・タイム・スロットが交互に現れる一連のタイム・スロットを定義する手段−ここで、該スレイブ・ツー・マスタ・タイム・スロットはそれぞれ複数のスレイブ・ツー・マスタ・サブ・スロットを含む−と、
前記１つ以上のワイヤレス・スレイブ・ユニットのそれぞれに固有応答番号を割り当てる手段と、
定期的に、マスタ・ツー・スレイブ・タイム・スロットにおいて、前記１つ以上のワイヤレス・スレイブ・ユニットのそれぞれに対し、ポーリング・ビーコン・パケットをブロードキャストする手段と、
を含み、
前記ワイヤレス・スレイブ・ユニットのそれぞれは、
前記１つ以上のワイヤレス・スレイブ・ユニットの内の少なくとも１つのために、前記ポーリング・ビーコン・パケットの後に起こるＮ個のスレイブ・ツー・マスタ・サブ・スロットで生じるスレイブ・ツー・マスタ・サブ・スロットにおいて、前記ワイヤレス・マスタ・ユニットへパケットを送信する手段−ここで、Ｎは前記少なくとも１つ以上のワイヤレス・スレイブ・ユニットの固有応答番号の関数である−、
を含むことを特徴とするシステム。
【請求項１５】
前記１つ以上のワイヤレス・スレイブ・ユニットの内の少なくとも１つのために、前記ポーリング・ビーコン・パケットの後のＮ個のスレイブ・ツー・マスタ・サブ・スロットで生じる前記スレイブ・ツー・マスタ・サブ・スロットの直前のマスタ・ツー・スレイブ・タイム・スロットにおいて、何らかのマスタによる動作が発生したか否かを検出する手段を更に含み、
スレイブ・ツー・マスタ・サブ・スロットにおいて前記ワイヤレス・マスタ・ユニットにパケットを送信する前記手段は、前記ポーリング・ビーコン・パケットの後のＮ個のスレイブ・ツー・マスタ・サブ・スロットで生じる前記スレイブ・ツー・マスタ・サブ・スロットの直前のマスタ・ツー・スレイブ・タイム・スロットにおいてマスタの動作が検出されなかった場合にだけ、実行されることを特徴とする請求項１４に記載のシステム。
【請求項１６】
前記ワイヤレス・マスタ・ユニットは、
前記１つ以上のワイヤレス・スレイブ・ユニットの内の少なくとも一つから、前記パケットを受信する手段と、
前記ワイヤレス・マスタ・ユニットにおいて、前記ポーリング・ビーコン・パケットがブロードキャストされた前記マスタ・ツー・スレイブ・タイム・スロットに関連して、どのスレイブ・ツー・マスタ・サブ・スロットにおいて前記パケットが受信されたかを判定することにより、前記１つ以上のワイヤレス・スレイブ・ユニットの内、どのユニットが前記パケットを送信したかを判定する手段と、
を更に有することを特徴とする請求項１４に記載のシステム。
【請求項１７】
前記ワイヤレス・マスタ・ユニットは、
前記１つ以上のワイヤレス・スレイブ・ユニットの内の少なくとも１つに対してページング・ビーコン・パケットをブロードキャストする手段を更に有し、
前記ページング・ビーコン・パケットは、前記１つ以上のワイヤレス・スレイブ・ユニットの内の少なくとも１つについての固有識別子と、後に、前記１つ以上のワイヤレス・スレイブ・ユニットの内のその１つをページングする際に用いられる一時アドレスと、を含むことを特徴とする請求項１６に記載のシステム。
【請求項１８】
前記ワイヤレス・マスタ・ユニットにおいて、前記１つ以上のワイヤレス・スレイブ・ユニットのそれぞれに固有応答番号を割り当てる手段は、
それぞれの前記ワイヤレス・スレイブ・ユニットのために固有識別子を登録する手段と、
前記登録された固有識別子のそれぞれに固有応答番号を関連させる手段と、
前記固有識別子を持っているそれぞれのワイヤレス・スレイブ・ユニットに固有応答番号を送信する手段と、
を含むことを特徴とする請求項１４に記載のシステム。
【請求項１９】
前記ポーリング・ビーコン・パケットは一種のビーコン・パケットであり、前記システムおける前記１つ以上のワイヤレス・スレイブ・ユニットのいずれにも割当てられない所定の一時アドレスを含むヘッダ部分を有することを特徴とする請求項１４に記載のシステム。
【請求項２０】
前記それぞれのスレイブ・ツー・マスタ・サブ・スロットはハーフ・スロットであることを特徴とする請求項１４に記載のシステム。
【請求項２１】
ワイヤレス・マスタ・ユニットと１つ以上のワイヤレス・スレイブ・ユニットとを含むシステムにおいて用いられるワイヤレス・マスタ・ユニットであって、
前記システムにおける１つ以上の前記ワイヤレス・スレイブ・ユニットに割り当てられない所定の一時アドレスを含むヘッダ部分を有するビーコンパケットを生成する手段と、
定期的に、マスタ・ツー・スレイブ・タイム・スロットにおいて、前記１つ以上のワイヤレス・スレイブ・ユニットのそれぞれに対し、前記ビーコン・パケットをブロードキャストする手段と、
を有することを特徴とするワイヤレス・マスタ・ユニット。
【請求項２２】
ワイヤレス・マスタ・ユニットと１つ以上のワイヤレス・スレイブ・ユニットとを含むシステムにおいて用いられるワイヤレス・スレイブ・ユニットであって、
定期的に、マスタ・ツー・スレイブ・タイム・スロットにおいて、前記ワイヤレス・マスタ・ユニットからブロードキャストされたページング・ビーコン・パケットを受信する手段と、
受信された前記ページング・ビーコン・パケットが当該ワイヤレス・スレイブ・ユニットの固有識別子を含むか否かを判定する手段と、
受信されたページング・ビーコン・パケットが、当該ワイヤレス・スレイブ・ユニットの固有識別子を含む場合に、前記ページング・ビーコン・パケットから一時アドレスを検索する手段と、
受信されたページング・ビーコン・パケットが当該ワイヤレス・スレイブ・ユニットの固有識別子を含む場合に、次のスレイブ・ツー・マスタ・タイム・スロットにおいて、ワイヤレス・マスタ・ユニットに応答を送信する手段と、
を有することを特徴とするワイヤレス・スレイブ・ユニット。
【請求項２３】
前記ワイヤレス・マスタ・ユニットからの次のトラフィック・パケットが前記一時アドレスを含むか否かを判定する手段と、
前記ワイヤレス・マスタ・ユニットからの次のトラフィック・パケットが前記一時アドレスを含む場合に、別の次のスレイブ・ツー・マスタ・タイム・スロットにおいて、前記ワイヤレス・マスタ・ユニットに応答を送信する手段と、
を更に有することを特徴とする請求項２２に記載のワイヤレス・スレイブ・ユニット。
【請求項２４】
前記ポーリング・ビーコン・パケットは、一種のビーコン・パケットであり、前記システムおける前記１つ以上のワイヤレス・スレイブ・ユニットのいずれにも割当てられない所定の一時アドレスを含むヘッダ部分を有することを特徴とする請求項２２に記載のワイヤレス・スレイブ・ユニット。